(57)【要約】【課題】外部からの侵入を防止することができ、スリム化を図ることが可能で、耐久性にも優れた、ジャロジーを提供する。【解決手段】ジャロジー１は、窓２の開口面に沿って一定間隔ごとに配置された複数の羽根板３と、それぞれの羽根板３を回転可能に保持する水平な支軸４と、これらの羽根板３を連動して回転させる連動機構５を備えている。ジャロジー１を構成する羽根板３は、複数枚のポリビニルブチラールフィルム６を重ね合わせて形成した透明合成樹脂層を、２枚のガラス板７，７で密着状に挟持し、これらのガラス板７の対向する辺縁部７ａにステンレス製の角柱状の補強材８をエポキシ系接着剤で付設し、この補強材８を包囲した状態で、辺縁部７ａに沿ってステンレス製の枠材９をシリコン系接着剤で付設することによって構成している。【選択図】  図１
2005240307.tif 000002
【特許請求の範囲】
【請求項１】
窓の開口面に沿って一定間隔ごとに配置された複数の羽根板を連動して回転させて開閉を行うジャロジーにおいて、前記羽根板を、透明合成樹脂層を密着状に挟持した複数のガラス板と、前記ガラス板の辺縁部に付設された補強材と、前記補強材を包囲した状態で前記辺縁部に沿って付設された枠材とで構成したことを特徴とするジャロジー。
【請求項２】
前記透明合成樹脂層を、ポリビニルブチラールフィルムあるいはアクリル樹脂のいずれかで形成した請求項１記載のジャロジー。
【請求項３】
前記枠材として、断面コ字状の溝形枠材を用いた請求項１または２記載のジャロジー。
【請求項４】
前記補強材および前記枠材を、前記板ガラスの対向する一対の辺縁部に付設した請求項１〜３のいずれかに記載のジャロジー。
【発明の詳細な説明】
【技術分野】
【０００１】
一般住宅などの建物の窓面に取り付けられるジャロジーに関する。
【背景技術】
【０００２】
一般住宅の窓に取り付けられるジャロジーは簡単な操作で開閉することができるので便利であるが、ジャロジーを構成する複数の羽根板は外力を加えると比較的容易に割れるので、不審者などが外部から侵入しやすいという欠点がある。そこで、ジャロジー窓からの侵入者を検知することのできる窓用防犯装置が提案されている（例えば、特許文献１参照。）。
【０００３】
また、特許文献２には、従来のジャロジーとして、平行に配置した２枚の板ガラスを保持枠部で固定して形成された複層ガラス製の羽根板を相互に連結した構造を備えたジャロジーが記載されている。
【０００４】
【特許文献１】特開２００３−１８７３３８号公報（第２−５頁）
【特許文献２】特開平０８−１３９３８号公報（第３頁，第１０図，第１１図）
【発明の開示】
【発明が解決しようとする課題】
【０００５】
特許文献１に記載された窓用防犯装置は、ジャロジー窓からの侵入者を検知することはできるが、ジャロジーを構成する羽根板などが破壊されるのを防止することはできない。このため、侵入者によって羽根板などが破壊されると、修理が完了するまでは、ジャロジーの一部が開いた状態のままとなるため、不用心であり、新たな侵入者を誘発するおそれがある。
【０００６】
一方、特許文献２の第１１図に記載されているジャロジーの場合、複層ガラス製の羽根板の強度が弱く、外力を加えると簡単に割れてしまうので、外部からの侵入を防止する機能に乏しい。また、複層ガラス製の羽根板の板厚が比較的大であるため、これらの羽根板の配列スペース、回転スペースを広くとる必要があり、ジャロジー全体のスリム化を図ることが困難である。
【０００７】
本発明が解決しようとする課題は、外部からの侵入を防止することができ、スリム化を図ることが可能で、耐久性にも優れた、ジャロジーを提供することにある。
【課題を解決するための手段】
【０００８】
本発明のジャロジーは、窓の開口面に沿って一定間隔ごとに配置された複数の羽根板を連動して回転させて開閉を行うジャロジーにおいて、羽根板を、透明合成樹脂層を密着状に挟持した複数のガラス板と、ガラス板の辺縁部に付設された補強材と、補強材を包囲した状態で辺縁部に沿って付設された枠材とで構成したことを特徴とする。
【０００９】
このような構成とすることにより、羽根板を構成するガラス板の辺縁部は補強材および枠材で強化された状態となって羽根板の強度が大幅に高まり、外力で容易に破壊しなくなるため、外部からの侵入を防止することができ、耐久性にも優れたものとなる。また、複数のガラス板で透明合成樹脂層を密着状に挟持しているため、羽根板の板厚は比較的薄くすることができ、スリム化を図ることが可能である。なお、ガラス板の種類としては、透明フロートガラス、熱線吸収ガラス、スリ板ガラス、真空蒸着ガラス（マジックミラー）などが好適である。これらのガラス板は耐久性、耐擦傷性に優れているため、高耐久性のジャロジーを構成することができる。
【００１０】
ここで、前記透明合成樹脂層を、ポリビニルブチラールフィルムあるいはアクリル樹脂で形成すれば、耐貫通性、耐衝撃性が高まり、飛散防止効果も得られるので、防犯機能が高まるほか、紫外線遮蔽機能も発揮する。なお、アクリル樹脂を用いる場合は、複数のガラス板の間に透明スペーサを挟むことによってガラス間に形成された隙間に、常温硬化型の液体アクリル樹脂を注入して硬化させることによって前記透明合成樹脂層を形成することができる。
【００１１】
一方、前記枠材として、断面コ字状の溝形枠材を用いることが望ましい。このような溝形枠材を用いれば、ガラス板の辺縁部に付設された補強材を包囲した状態で辺縁部近傍のガラス板面の一部まで包囲することが可能となるため、板ガラスの強度的弱点である辺縁部を保護するとともに、その強度向上を図ることができる。
【００１２】
さらに、前記補強材および前記枠材は、前記板ガラスの対向する一対の辺縁部に付設することが望ましい。このような構成とすれば、羽根板に外力が加わったときに破壊開始点となりやすいこれらの辺縁部を有効に補強することができる。また、羽根板に外力が加えられたときに、く字変形などの各種変形が生じるのを防止することができる。
【発明の効果】
【００１３】
本発明により、以下に示す効果を奏する。
【００１４】
（１）窓の開口面に沿って一定間隔ごとに配置された複数の羽根板を連動して回転させて開閉を行うジャロジーにおいて、羽根板を、透明合成樹脂層を密着状に挟持した複数のガラス板と、ガラス板の辺縁部に付設された補強材と、補強材を包囲した状態で辺縁部に沿って付設された枠材とで構成したことにより、外部からの侵入を防止することができ、スリム化を図ることが可能で、耐久性にも優れたものとなる。
【００１５】
（２）透明合成樹脂層をポリビニルブチラールフィルムあるいはアクリル樹脂で形成すれば、耐貫通性、耐衝撃性が高まり、飛散防止効果も得られるので、防犯機能が高まるほか、紫外線遮蔽機能も発揮する。
【００１６】
（３）枠材として、断面コ字状の溝形枠材を用いることにより、ガラス板の辺縁部に付設された補強材を包囲した状態で辺縁部近傍のガラス板面の一部まで包囲することが可能となるため、辺縁部を保護するとともに、その強度向上を図ることができる。
【００１７】
（４）補強材および枠材を、板ガラスの対向する一対の辺縁部に付設することにより、羽根板に外力が加わったときに破壊開始点となりやすいこれらの辺縁部を有効に補強することができ、く字変形などの各種変形を防止することができる。
【発明を実施するための最良の形態】
【００１８】
以下、図面に基づいて、本発明の実施の形態であるジャロジーについて説明する。図１は本発明の実施の形態であるジャロジーを示す垂直断面図であり、図２は図１に示すジャロジーを構成する羽根板を示す一部切欠斜視図であり、図３は図２におけるＸ−Ｘ線断面図であり、図４は図１におけるＡ部分の拡大図である。
【００１９】
図１に示すように、本実施形態のジャロジー１は、窓２の開口面に沿って一定間隔ごとに配置された複数の矩形をした羽根板３と、それぞれの羽根板３を回転可能に保持する水平な支軸４と、これらの羽根板３を連動して回転させる連動機構５を備えている。図１は閉止した状態を示しており、それぞれの羽根板３を回転させて略水平にすれば開放状態となる。
【００２０】
図２，図３に示すように、ジャロジー１を構成する羽根板３は、透明合成樹脂フィルムの一つであるポリビニルブチラールフィルム６を複数枚重ね合わせて形成した透明合成樹脂層を２枚のガラス板７，７で密着状に挟持し、これらのガラス板７の辺縁部７ａにステンレス製の角柱状の補強材８をエポキシ系接着剤で付設し、補強材８を包囲した状態で辺縁部７ａに沿ってステンレス製の枠材９をシリコン系接着剤で付設することによって構成している。
【００２１】
このような構成とすることにより、羽根板９を構成するガラス板７の辺縁部７ａは補強材８および枠材９で強化された状態となるため、羽根板３の強度は大幅に高まり、外力で容易に破壊しなくなる。このため、外部からの侵入を防止することができ、耐久性にも優れたものとなる。また、２枚のガラス板７で複数枚のポリビニルブチラールフィルム６を密着状に挟持して透明合成樹脂層を形成しているため、羽根板３の板厚を比較的薄くすることが可能であり、スリム化を図ることができる。なお、本実施形態ではガラス板７として透明フロート板ガラスを用いているため、優れた耐久性および耐擦傷性を得ることができる。
【００２２】
また、２枚のガラス板７の間の透明合成樹脂層を、複数のポリビニルブチラールフィルム６を重ね合わせて形成したことにより、優れた耐貫通性、耐衝撃性および飛散防止機能が得られ、防犯の点で有効であるほか、紫外線遮蔽機能も発揮する。
【００２３】
一方、枠材９として、断面コ字状の溝形枠材を用いていることにより、ガラス板７の辺縁部７ａに付設された補強材８を包囲した状態で辺縁部７ａ近傍のガラス板７の露出面の一部まで包囲しているため、辺縁部７ａの強度向上を図ることができる。
【００２４】
さらに、補強材８および枠材９は、矩形をした板ガラス７の対向する長辺側の一対の辺縁部７ａに付設しているため、羽根板３に外力が加わったときに破壊開始点となりやすいこれらの辺縁部７ａを有効に補強することができる。
【００２５】
また、ジャロジー１が閉止状態にあるとき、図４に示すように、隣り合う羽根板３は、それぞれの枠材９同士が重なり合うように配置されている。このため、羽根板３の曲げ強度が倍加され、ジャロジー１全体の強度向上に有効であり、耐衝撃性も優れている。
【産業上の利用可能性】
【００２６】
本発明のジャロジーは、一般住宅の窓に取り付けて使用することができるほか、船舶用窓あるいは棚板などにおいても広く使用することができる。
【図面の簡単な説明】
【００２７】
【図１】本発明の実施の形態であるジャロジーを示す垂直断面図である。
【図２】図１に示すジャロジーを構成する羽根板を示す一部切欠斜視図である。
【図３】図２におけるＸ−Ｘ線断面図である。
【図４】図１におけるＡ部分の拡大図である。
【符号の説明】
【００２８】
１  ジャロジー
２  窓
３  羽根板
４  支軸
５  連動機構
６  ポリビニルブチラールフィルム
７  ガラス板
７ａ  辺縁部
８  補強材
９  枠材
【図１】
2005240307.tif 000003
【図２】
2005240307.tif 000004
【図３】
2005240307.tif 000005
【図４】
2005240307.tif 000006